(57)【特許請求の範囲】
【請求項１】
外壁の構築に用いる外壁ユニットであって、
支持材の前面に鋼板を設けて構成され、
前記外壁ユニットの一方の側部に設けられ前記支持材の側方に延びる係合部と、
前記外壁ユニットの前記一方の側部と反対側の側部で前記支持材の前面に設けられ、前記支持材により後方から支持される被係合部と、
を備え、
前記係合部は、前記被係合部と係合可能であり、前記支持材の側方において、前記支持材から離れるにつれ後方に向かうように傾斜する部分を有することを特徴とする外壁ユニット。
【請求項２】
前記係合部の先端が、前記外壁ユニットの幅方向の中心側に向けて後方で折り曲げられ、
前記被係合部の先端が、前記外壁ユニットの幅方向の中心側に向けて前方で折り曲げられることを特徴とする請求項１に記載の外壁ユニット。
【請求項３】
前記鋼板が角波鋼板であることを特徴とする請求項１または請求項２に記載の外壁ユニット。
【請求項４】
前記外壁ユニットの幅方向に設けられた水切をさらに備え、
前記水切の一方の側部は、前記係合部の側端よりも前記外壁ユニットの幅方向の中心側に後退して位置し、
前記水切の前記一方の側部と反対側の側部は、前記被係合部の側端から側方へと突出していることを特徴とする請求項１から請求項３のいずれかに記載の外壁ユニット。
【請求項５】
隣り合う外壁ユニットの連結構造であって、
隣り合う外壁ユニットが位置を揃えて配置され、
前記外壁ユニットは、支持材の前面に鋼板を設けて構成され、
一方の外壁ユニットの側部に設けられ当該外壁ユニットの支持材の側方に延びる係合部が、他方の外壁ユニットの側部で当該外壁ユニットの支持材の前面に設けられ、当該外壁ユニットの支持材により後方から支持された被係合部に係合され、
前記係合部は、前記一方の外壁ユニットの支持材の側方において、弾性変形により前記外壁ユニットの幅方向に沿って配置される部分を有し、復元力により前記被係合部に押付けられることを特徴とする外壁ユニットの連結構造。
【請求項６】
前記外壁ユニットは、前記外壁ユニットの幅方向に設けられた水切をさらに備え、
前記一方の外壁ユニットの水切の、前記係合部の側端よりも当該外壁ユニットの幅方向の中心側に後退して位置する側部と、前記他方の外壁ユニットの水切の、前記被係合部の側端から側方へと突出した側部とが、重ねて配置されることを特徴とする請求項５に記載の外壁ユニットの連結構造。
【発明の詳細な説明】
【技術分野】
【０００１】
本発明は、建物の外壁工事に用いる外壁ユニット等に関する。
【背景技術】
【０００２】
建物の外壁として、角波鋼板を胴縁に取付けたものがある（特許文献１等）。このような外壁の工事を省力化するため、角波鋼板と胴縁を予め一体化した大型の外壁ユニットを用いる場合がある。
【０００３】
図１１（ａ）はその例であり、角波鋼板１０２と胴縁１０１を地組して一体化した大型の外壁ユニット１００を、クレーン等の重機で吊上げて移動させ、別の外壁ユニット１００に連結する。こうして複数の外壁ユニット１００を順次連結することにより、建物の外壁を構築できる。図１１（ｂ）は外壁ユニット１００の連結箇所を示す概略平面図である。
【０００４】
外壁ユニット１００では、胴縁１０１の前面に角波鋼板１０２が取付けられる。胴縁１０１は水平方向の桁材であり、上下に複数平行して配置される。胴縁１０１の長手方向の途中あるいは端部に間柱などの鉛直材を設ける場合もある。外壁ユニット１００の連結箇所は蓋２００で覆われ、蓋２００の両脇が両側の外壁ユニット１００にそれぞれビス止めされる。
【先行技術文献】
【特許文献】
【０００５】
【特許文献１】特開2014-177830号公報
【発明の概要】
【発明が解決しようとする課題】
【０００６】
しかしながら、上記のように蓋２００の両脇を外壁ユニット１００にビス止めする場合、ビス止めのためだけに高所作業を行うことになり、足場や高所作業車が必要になるなど手間が掛かっていた。結果、工期が長くなり、コストも高くなるという問題があった。
【０００７】
本発明は、連結容易な外壁ユニット等を提供することを目的とする。
【課題を解決するための手段】
【０００８】
前述した課題を解決するための第１の発明は、外壁の構築に用いる外壁ユニットであって、支持材の前面に鋼板を設けて構成され、前記外壁ユニットの一方の側部に設けられ前記支持材の側方に延びる係合部と、前記外壁ユニットの前記一方の側部と反対側の側部で前記支持材の前面に設けられ、前記支持材により後方から支持される被係合部と、を備え、前記係合部は、前記被係合部と係合可能であり、前記支持材の側方において、前記支持材から離れるにつれ後方に向かうように傾斜する部分を有することを特徴とする外壁ユニットである。
【０００９】
前記係合部の先端が、前記外壁ユニットの幅方向の中心側に向けて後方で折り曲げられ、前記被係合部の先端が、前記外壁ユニットの幅方向の中心側に向けて前方で折り曲げられることが望ましい。
前記鋼板は、例えば角波鋼板である。
前記外壁ユニットの幅方向に設けられた水切をさらに備え、前記水切の一方の側部は、前記係合部の側端よりも前記外壁ユニットの幅方向の中心側に後退して位置し、前記水切の前記一方の側部と反対側の側部は、前記被係合部の側端から側方へと突出していることも望ましい。
【００１０】
第２の発明は、隣り合う外壁ユニットの連結構造であって、隣り合う外壁ユニットが位置を揃えて配置され、前記外壁ユニットは、支持材の前面に鋼板を設けて構成され、一方の外壁ユニットの側部に設けられ当該外壁ユニットの支持材の側方に延びる係合部が、他方の外壁ユニットの側部で当該外壁ユニットの支持材の前面に設けられ、当該外壁ユニットの支持材により後方から支持された被係合部に係合され、前記係合部は、前記一方の外壁ユニットの支持材の側方において、弾性変形により前記外壁ユニットの幅方向に沿って配置される部分を有し、復元力により前記被係合部に押付けられることを特徴とする外壁ユニットの連結構造である。
前記外壁ユニットは、前記外壁ユニットの幅方向に設けられた水切をさらに備え、前記一方の外壁ユニットの水切の、前記係合部の側端よりも当該外壁ユニットの幅方向の中心側に後退して位置する側部と、前記他方の外壁ユニットの水切の、前記被係合部の側端から側方へと突出した側部とが、重ねて配置されることも望ましい。
【００１１】
本発明では、外壁ユニットの支持材の側方に延びて連結箇所を覆う蓋となる係合部を外壁ユニットの側部に先付けして、連結対象の外壁ユニットの被係合部に係合可能とする。そのため、外壁ユニットを重機等で吊って移動させることにより係合部を連結対象の外壁ユニットの被係合部に係合でき、この時係合部によって連結箇所に蓋がされる。結果、連結箇所に蓋をする際の高所作業等の手間が軽減でき、外壁ユニットの連結が容易になる。
【００１２】
また、係合部が後方に傾斜する部分を有するので、係合部により外壁ユニットの幅方向に沿って連結箇所の蓋をする際に係合部が弾性変形し、この際生じる復元力により係合部が被係合部側に押しつけられるので、係合部が被係合部から外れにくくなる。
【００１３】
さらに、外壁ユニットの係合部と反対側の側部に被係合部を設けることで、同種の外壁ユニットを複数用いて外壁が構築できる。また、係合部の先端を外壁ユニットの幅方向の中心側に向けて後方で折り曲げ、被係合部の先端を外壁ユニットの幅方向の中心側に向けて前方で折り曲げることで、先端同士が噛み合ってより確実に係合するようになる。また、鋼板を角波鋼板とすることで、外壁ユニットの強度を高くできる。
【発明の効果】
【００１４】
本発明により、連結容易な外壁ユニット等を提供することができる。
【図面の簡単な説明】
【００１５】
【図１】外壁ユニット１０を示す図
【図２】係合部１３を示す図
【図３】被係合部１４を示す図
【図４】外壁ユニット１０の連結方法を示す図
【図５】外壁ユニット１０の連結方法を示す図
【図６】外壁ユニット１０の連結構造２０を示す図
【図７】水切１５を示す図
【図８】水切１５の重複部分１５ａを示す図
【図９】外壁ユニット１０ａ、１０ｂを示す図
【図１０】外壁ユニット１０ｃとその連結構造２０ａを示す図
【図１１】外壁ユニット１００の連結を示す図
【発明を実施するための形態】
【００１６】
以下、図面に基づいて本発明の好適な実施形態について詳細に説明する。
【００１７】
[第１の実施形態]
（１．外壁ユニット１０）
図１は本発明の第１の実施形態に係る外壁ユニット１０の概略平面図である。外壁ユニット１０は、前記と同様、胴縁１１の前面に角波鋼板１２を取付けて構成される。胴縁１１は水平方向の桁材であり、角波鋼板１２を支持する支持材として機能する。図１１（ａ）の例と同じく、胴縁１１は上下に複数平行して配置される。また支持材として、胴縁１１の長手方向の途中あるいは端部に間柱などの鉛直材を設ける場合もある。
【００１８】
加えて、本実施形態の外壁ユニット１０では、幅方向（図１の左右方向に対応する）の一方の側部（左側部）に係合部１３が設けられ、反対側の側部（右側部）に被係合部１４が設けられる。
【００１９】
係合部１３は鋼板を加工して形成され、胴縁１１からその側方に延びるようにして設けられる。係合部１３は外壁ユニット１０の上下に渡って配置される。図２は係合部１３を示す概略平面図である。図２（ａ）は係合部１３のみを示す図であり、図２（ｂ）は係合部１３を外壁ユニット１０の左側部に取付けた状態を示す図である。
【００２０】
係合部１３は、取付部分１３１とその側方部分１３２から構成される。取付部分１３１は、直接（あるいは場合により角波鋼板１２の上から）胴縁１１にビス止めされ、胴縁１１の前面に取付けられる。
【００２１】
側方部分１３２は、取付部分１３１から胴縁１１の側方に延びる部分であり、前方に向かって突出するように略凹字状に折れ曲がる。なお、前方とは、胴縁１１から見て角波鋼板１２が設けられた方向をいうものとする。その逆の方向は後方という。
【００２２】
側方部分１３２の先端１３３は、右側、即ち外壁ユニット１０の幅方向の中心側に向かって係合部１３の後方で折り曲げられる。
【００２３】
また、略凹字状の側方部分１３２において、凹字の底辺に当たる部分である辺１３４は、胴縁１１から離れるにつれ後方に向かうように、外壁ユニット１０の幅方向に対して若干傾斜している。その傾斜角α（図２（ｂ）参照）は例えば１５°程度である。
【００２４】
被係合部１４も鋼板を加工して形成され、外壁ユニット１０の上下に渡って配置される。図３は被係合部１４を示す概略平面図である。図３（ａ）は被係合部１４のみを示す図であり、図３（ｂ）は被係合部１４を外壁ユニット１０の右側部に取付けた状態を示す図である。
【００２５】
被係合部１４は、取付部分１４１と突出部分１４２から構成される。取付部分１４１は、直接（あるいは場合により角波鋼板１２の上から）胴縁１１にビス止めされ、胴縁１１の前面に取付けられる。
【００２６】
突出部分１４２は、取付部分１４１から胴縁１１の前方に延びる部分である。突出部分１４２の先端１４３は、左側、即ち外壁ユニット１０の幅方向の中心側に向かって被係合部１４の前方で折り曲げられる。
【００２７】
（２．外壁ユニット１０の連結構造２０）
外壁ユニット１０は、前記と同様クレーン等の重機で吊上げて移動させ、別の外壁ユニット１０に連結することができ、複数の外壁ユニット１０を順次連結することで建物の外壁を構築できる。本実施形態では、外壁ユニット１０の連結を行う際に、一方の外壁ユニット１０の係合部１３を連結対象の他方の外壁ユニット１０の被係合部１４に係合させる。
【００２８】
この際、例えば図４の矢印に示すように一方の外壁ユニット１０をクレーン等で吊下ろして上から下へとスライドさせ、図５に示すように、一方の外壁ユニット１０の係合部１３の先端１３３が他方の外壁ユニット１０の被係合部１４の取付部分１４１と先端１４３の間に配置された状態とする。その後、図５の矢印に示すように一方の外壁ユニット１０を後方に移動させる。
【００２９】
あるいは、一方の外壁ユニット１０を横移動させることにより図５に示した状態とし、その後、図５の矢印に示すように一方の外壁ユニット１０を後方に移動させてもよい。
【００３０】
こうして図６に示すように外壁ユニット１０同士が連結され、外壁ユニット１０の連結構造２０が形成される。一方の外壁ユニット１０の係合部１３は他方の外壁ユニット１０の被係合部１４と噛み合って係合し、係合部１３の側方部分１３２が、両外壁ユニット１０の連結箇所を外壁ユニット１０の幅方向に沿って覆う蓋となる。
【００３１】
この時係合部１３は弾性変形しており、前記した辺１３４の傾斜が解消されて外壁ユニット１０の幅方向に沿ったものとなる。且つ、係合部１３には元の形状に戻ろうとする力が働き、この復元力によって係合部１３の側方部分１３２が後方の被係合部１４側に押し付けられるので、係合部１３が被係合部１４から外れにくくなる。被係合部１４の先端１４３の前面に止水材を設けておき、これにより係合部１３の側方部分１３２との間をシールして雨水等の吹き込みを防止するようにしてもよい。
【００３２】
なお、本実施形態では図７に示すように外壁ユニット１０の下部に外壁ユニット１０の幅方向の水切１５が設けられる。図７（ａ）は外壁ユニット１０の下部を正面から見た図であり、図７（ｂ）は外壁ユニット１０の下部を厚さ方向に見た図である。
【００３３】
水切１５は鋼板を加工して形成され、取付部分１５１、中間部分１５２および端部１５３を有する。取付部分１５１は、直接あるいは被係合部１４や角波鋼板１２等の上から下縁の胴縁１１にビス止めされ、胴縁１１の前面に取付けられる。
【００３４】
中間部分１５２は、取付部分１５１の下端から前方へ突出する部分である。中間部分１５２は、前方へゆくにつれ下に向かうように、水平方向に対して若干傾斜する。
【００３５】
端部１５３は、中間部分１５２に続いて下方に延びる部分であり、その下端が後方へと若干傾斜する。
【００３６】
水切１５の幅方向の一方の側部（左側部）は、係合部１３の側端よりも外壁ユニット１０の幅方向の中心側に後退している。反対側の側部（右側部）は、被係合部１４の側端から外壁ユニット１０の幅方向の側方へと突出している。
【００３７】
外壁ユニット１０の連結時には、図８に示すように両外壁ユニット１０の水切１５の端部が重複部分１５ａで重なる。重複部分１５ａでは、一方の外壁ユニット１０（図の右側）の水切１５が、他方の外壁ユニット１０（図の左側）の水切１５の前方に位置する。
【００３８】
これらの水切１５は、建物の平面縁部（不図示）の前方に被せるようにして配置したり、あるいは外壁ユニット１０を上下複数段に配置する際には下段の外壁ユニット１０の上端（不図示）の前方に被せるようにして配置するなどして、雨水等の侵入を防ぐ役割を果たす。なお、図８の例では、水分侵入の防止のため、係合部１３の側方部分１３２の下端に沿ってシーリング３０も設けられている。
【００３９】
以上説明したように、本実施形態では、外壁ユニット１０の胴縁１１の側方に延びて連結箇所を覆う蓋となる係合部１３を外壁ユニット１０の側部に先付けして、連結対象の外壁ユニット１０の被係合部１４に係合可能とする。そのため、外壁ユニット１０を重機等で吊って移動させることにより係合部１３を連結対象の外壁ユニット１０の被係合部１４に係合でき、この時係合部１３によって連結箇所に蓋がされる。結果、連結箇所に蓋をする際の高所作業等の手間が軽減でき、外壁ユニット１０の連結が容易になる。
【００４０】
また、係合部１３が後方に傾斜する辺１３４を有するので、係合部１３により外壁ユニット１０の幅方向に沿って連結箇所の蓋をする際に係合部１３が弾性変形し、この際生じる復元力により係合部１３が被係合部１４側に押しつけられるので、係合部１３が被係合部１４から外れにくくなる。
【００４１】
さらに、外壁ユニット１０の係合部１３と反対側の側部に被係合部１４を設けることで、同種の外壁ユニット１０を複数用いて外壁が構築できる。また、係合部１３の先端１３３を外壁ユニット１０の幅方向の中心側に向けて後方で折り曲げ、被係合部１４の先端１４３を外壁ユニット１０の幅方向の中心側に向けて前方で折り曲げることで、先端１３３、１４３同士が噛み合ってより確実に係合するようになる。また、外壁ユニット１０に角波鋼板１２を用いることで、外壁ユニットの強度を高くできる。
【００４２】
しかしながら、本発明は上記の実施形態に限ることはない。例えば、外壁ユニット１０の角波鋼板１２の代わりに、その他の波形鋼板あるいは波形鋼板以外の鋼板を用いることも可能である。
【００４３】
また外壁ユニットの係合部や被係合部は互いに噛み合って係合する形状であればよく、その形状は前記したものに限らない。以下、外壁ユニットの係合部や被係合部が異なる例について、第２、第３の実施形態として説明する。各実施形態は第１の実施形態と異なる点について説明し、同様の点については図等で同じ符号を付すなどして説明を省略する。
【００４４】
［第２の実施形態］
第２の実施形態として、係合部の取付位置が異なる例について図９を参照して説明する。
【００４５】
図９（ａ）の外壁ユニット１０ａは、係合部１３ａの取付部分１３１を胴縁１１ではなく角波鋼板１２に取付けたものである。また図９（ｂ）の外壁ユニット１０ｂは、係合部１３ｂの取付部分１３１を胴縁１１の前面ではなく側端面に取付けたものである。
【００４６】
各外壁ユニット１０ａ、１０ｂにおいて、被係合部１４は第１の実施形態と同様であり、一方の外壁ユニットの係合部を他方の外壁ユニットの被係合部に前記と同様にして係合し、外壁ユニット同士を連結した連結構造を形成できる。この他、係合部の取付部分を胴縁１１の後面に取付けることなども可能である。
【００４７】
［第３の実施形態］
図１０（ａ）は第３の実施形態に係る外壁ユニット１０ｃの係合部１３ｃを示す図であり、図１０（ｂ）は外壁ユニット１０ｃの被係合部１４ａを示す図である。
【００４８】
外壁ユニット１０ｃは、係合部１３ｃの側方部分１３２の先端や被係合部１４ａの突出部分１４２の先端が外壁ユニット１０ｃの幅方向の中心側に向かって折り曲げられない点で第１の実施形態と異なっている。
【００４９】
この外壁ユニット１０ｃでも、図１０（ｃ）に示すように一方の外壁ユニット１０ｃの係合部１３ｃを他方の外壁ユニット１０ｃの被係合部１４ａに係合し、外壁ユニット１０ｃ同士を連結した連結構造２０ａを形成できる。
【００５０】
以上説明した第２、第３の実施形態でも、外壁ユニットの連結時に係合部によって連結箇所に簡易に蓋ができるなど、第１の実施形態と同様の効果が得られる。外壁ユニットの係合部や被係合部を具体的にどのように構成するかは、作業性や耐久性その他を考慮して適宜定めることができる。
【００５１】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００５２】
１０、１０ａ、１０ｂ、１０ｃ、１００；外壁ユニット
１１、１０１；胴縁
１２、１０２；角波鋼板
１３、１３ａ、１３ｂ、１３ｃ；係合部
１４、１４ａ；被係合部
１５；水切
１５ａ；重複部分
２０、２０ａ；連結構造
３０；シーリング
１３１、１４１、１５１；取付部分
１３２；側方部分
１３３、１４３；先端
１３４；辺
１４２；突出部分
１５２；中間部分
１５３；端部
２００；蓋
【図１】
0006571996.tif 000002
【図２】
0006571996.tif 000003
【図３】
0006571996.tif 000004
【図４】
0006571996.tif 000005
【図５】
0006571996.tif 000006
【図６】
0006571996.tif 000007
【図７】
0006571996.tif 000008
【図８】
0006571996.tif 000009
【図９】
0006571996.tif 000010
【図１０】
0006571996.tif 000011
【図１１】
0006571996.tif 000012